(57)【要約】【課題】  収集された各地点のＷｅｂ情報の情報量などを反映して地図上に２次元又は３次元表示することで、地点に関するＷｅｂ情報の分布を直感的に把握可能とさせ、また地点に関するＷｅｂ情報を容易に閲覧することを可能とさせる情報閲覧装置及び情報閲覧方法を提供する。【解決手段】  外部と通信を行うための通信手段１０１と、地点名に基づいて、地点に関する地点情報をＷｅｂサーバから収集する収集手段１０２と、収集された地点情報から住所情報を抽出して地点の位置情報を算出する位置算出手段１０３と、地点情報の件数を集計する解析手段１０４と、算出された地点の位置情報に基づき、地点の所定の周辺領域の地図を表示手段１０５に表示させ、集計された地点情報の件数の関数に相当する領域の表示形体を生成し、生成された表示形体を地図上に地点の位置情報に基づいて表示させる表示制御手段１０７とを有する。【選択図】  図１
2006139412.tif 000002
【特許請求の範囲】
【請求項１】
外部と通信を行うための通信手段と、
あらかじめ所定の記憶領域に格納された地点名又は外部から読み込んだ地点名に基づいて、地点に関する地点情報を前記通信手段を介してＷｅｂサーバから収集する収集手段と、
収集された前記地点情報に含まれる住所情報を抽出し、抽出された前記住所情報に基づいて前記地点の位置情報を算出する位置算出手段と、
前記位置情報が算出された前記地点情報の件数を集計する解析手段と、
あらかじめ所定の記憶領域に格納された地図情報又は外部から読み込んだ地図情報のうち、前記位置算出手段によって算出された前記地点の位置情報に基づいて、前記地点の所定の周辺領域の地図を表示手段に表示させるとともに、前記解析手段によって集計された前記地点情報の件数の関数に相当する面積からなる領域を有する、前記表示手段に表示させる際の表示形体を生成し、生成された前記表示形体を前記地図上に前記地点の位置情報に基づいて表示させる表示制御手段とを、
有する情報閲覧装置。
【請求項２】
前記解析手段は、前記位置情報が算出された前記地点情報の文字列に対して言語解析を行い、前記地点情報が前記地点の評判に関する情報か否かを解析し、評判に関する情報とそれ以外に関する情報とに分類し、
前記表示制御手段は、前記分類された評判に関する情報とそれ以外に関する情報との件数の割合を、前記表示形体と共に表示させる請求項１に記載の情報閲覧装置。
【請求項３】
前記解析手段は、前記位置情報が算出された前記地点情報の文字列に対して言語解析を行い、前記地点情報が前記地点の評判に関する情報か否かを解析し、評判に関する情報とそれ以外に関する情報とに分類し、
前記表示制御手段は、前記分類された評判に関する情報とそれ以外に関する情報との件数の割合を表示させる場合に、前記表示手段に表示されている前記表示形体の表示領域を、前記分類された評判に関する情報とそれ以外に関する情報との件数の割合に基づいて区分けして表示させる請求項１に記載の情報閲覧装置。
【請求項４】
外部から前記表示手段に表示されている前記表示形体の選択を受け付ける選択受付手段と、
前記位置算出手段によって前記位置情報が算出された前記地点情報を格納する地点情報格納手段とを有し、
前記表示制御手段は、前記選択受付手段によって受け付けられた選択に基づいて、前記地点情報格納手段に格納されている前記地点情報の内容を前記表示手段に表示させる請求項１から３のいずれか１つに記載の情報閲覧装置。
【請求項５】
前記表示形体は、球形状又は円筒形状である請求項１から４のいずれか１つに記載の情報閲覧装置。
【請求項６】
前記表示形体は、所定の色によって表示させる請求項１から５のいずれか１つに記載の情報閲覧装置。
【請求項７】
あらかじめ所定の記憶領域に格納された地点名又は外部から読み込んだ地点名に基づいて、地点に関する地点情報を通信インタフェースを介してＷｅｂサーバから収集するステップと、
収集された前記地点情報に含まれる住所情報を抽出し、抽出された前記住所情報に基づいて前記地点の位置情報を算出するステップと、
前記位置情報が算出された前記地点情報の件数を集計するステップと、
あらかじめ所定の記憶領域に格納された地図情報又は外部から読み込んだ地図情報のうち、算出された前記地点の位置情報に基づいて、前記地点の所定の周辺領域の地図を表示手段に表示させるとともに、集計された前記地点情報の件数の関数に相当する面積からなる領域を有する、前記表示手段に表示させる際の表示形体を生成し、生成された前記表示形体を前記地図上に前記地点の位置情報に基づいて表示させるステップとを、
有する情報閲覧方法。
【請求項８】
前記位置情報が算出された前記地点情報の文字列に対して言語解析を行い、前記地点情報が前記地点の評判に関する情報か否かを解析し、評判に関する情報とそれ以外に関する情報とに分類するステップと、
前記分類された評判に関する情報とそれ以外に関する情報との件数の割合を、前記表示形体と共に表示させるステップとを、
有する請求項７に記載の情報閲覧方法。
【請求項９】
前記位置情報が算出された前記地点情報の文字列に対して言語解析を行い、前記地点情報が前記地点の評判に関する情報か否かを解析し、評判に関する情報とそれ以外に関する情報とに分類するステップと、
前記分類された評判に関する情報とそれ以外に関する情報との件数の割合を表示させる場合に、前記表示手段に表示されている前記表示形体の表示領域を、前記分類された評判に関する情報とそれ以外に関する情報との件数の割合に基づいて区分けして表示させるステップとを、
有する請求項７に記載の情報閲覧方法。
【請求項１０】
外部から前記表示手段に表示されている前記表示形体の選択を受け付けるステップを更に有し、
受け付けられた前記選択に基づいて、所定の記憶領域に格納された前記地点情報の内容を前記表示手段に表示させるステップを、
有する請求項７から９のいずれか１つに記載の情報閲覧方法。
【請求項１１】
前記表示形体は、球形状又は円筒形状である請求項７から１０のいずれか１つに記載の情報閲覧方法。
【請求項１２】
前記表示形体は、所定の色によって表示させる請求項７から１１のいずれか１つに記載の情報閲覧方法。
【発明の詳細な説明】
【技術分野】
【０００１】
本発明は、地域の観光地、施設、店舗などの地点に関連するＷｅｂ情報を収集し、収集されたＷｅｂ情報を閲覧する情報閲覧装置及び情報閲覧方法に関する。
【背景技術】
【０００２】
従来から、収集した目的地に関するＷｅｂ情報を目的地の位置情報に関連付けて地図上に表示し、表示されたＷｅｂ情報を閲覧させる装置が下記の特許文献１及び２に開示されている。特許文献１及び２に開示されているような装置によれば、目的地に関するＷｅｂ情報を容易に得ることが可能となる。
【特許文献１】特開平１０−１０３９７７号公報（段落０００６、図１）
【特許文献２】特開平１０−３００４９０号公報（段落０００６、０００７、図１）
【発明の開示】
【発明が解決しようとする課題】
【０００３】
しかしながら、特許文献１及び２に記載の発明では、Ｗｅｂ情報の分布を直感的に把握できる視覚的な表示手法については開示されておらず、収集された目的地における各地点の情報量や特性を概観して比較などをすることができないという問題がある。
【０００４】
本発明は、上記問題を解決するためのものであり、収集された各地点のＷｅｂ情報の情報量などを反映して地図上に２次元又は３次元表示することで、地点に関するＷｅｂ情報の分布を直感的に把握可能とさせ、また地点に関するＷｅｂ情報を容易に閲覧することを可能とさせる情報閲覧装置及び情報閲覧方法を提供することを目的とする。
【課題を解決するための手段】
【０００５】
上記目的を達成するために、本発明によれば、外部と通信を行うための通信手段と、あらかじめ所定の記憶領域に格納された地点名又は外部から読み込んだ地点名に基づいて、地点に関する地点情報を前記通信手段を介してＷｅｂサーバから収集する収集手段と、収集された前記地点情報に含まれる住所情報を抽出し、抽出された前記住所情報に基づいて前記地点の位置情報を算出する位置算出手段と、前記位置情報が算出された前記地点情報の件数を集計する解析手段と、あらかじめ所定の記憶領域に格納された地図情報又は外部から読み込んだ地図情報のうち、前記位置算出手段によって算出された前記地点の位置情報に基づいて、前記地点の所定の周辺領域の地図を表示手段に表示させるとともに、前記解析手段によって集計された前記地点情報の件数の関数に相当する面積からなる領域を有する、前記表示手段に表示させる際の表示形体を生成し、生成された前記表示形体を前記地図上に前記地点の位置情報に基づいて表示させる表示制御手段とを有する情報閲覧装置が提供される。
【０００６】
また、本発明の情報閲覧装置において、前記解析手段が、前記位置情報が算出された前記地点情報の文字列に対して言語解析を行い、前記地点情報が前記地点の評判に関する情報か否かを解析し、評判に関する情報とそれ以外に関する情報とに分類し、前記表示制御手段が、前記分類された評判に関する情報とそれ以外に関する情報との件数の割合を、前記表示形体と共に表示させることは、本発明の好ましい態様である。
【０００７】
また、本発明の情報閲覧装置において、前記解析手段が、前記位置情報が算出された前記地点情報の文字列に対して言語解析を行い、前記地点情報が前記地点の評判に関する情報か否かを解析し、評判に関する情報とそれ以外に関する情報とに分類し、前記表示制御手段が、前記分類された評判に関する情報とそれ以外に関する情報との件数の割合を表示させる場合に、前記表示手段に表示されている前記表示形体の表示領域を、前記分類された評判に関する情報とそれ以外に関する情報との件数の割合に基づいて区分けして表示させることは、本発明の好ましい態様である。
【０００８】
また、本発明の情報閲覧装置において、外部から前記表示手段に表示されている前記表示形体の選択を受け付ける選択受付手段と、前記位置算出手段によって前記位置情報が算出された前記地点情報を格納する地点情報格納手段とを有し、前記表示制御手段が、前記選択受付手段によって受け付けられた選択に基づいて、前記地点情報格納手段に格納されている前記地点情報の内容を前記表示手段に表示させることは、本発明の好ましい態様である。
【０００９】
また、本発明の情報閲覧装置において、前記表示形体が球形状又は円筒形状であることは、本発明の好ましい態様である。
【００１０】
また、本発明の情報閲覧装置において、前記表示形体を所定の色によって表示させることは、本発明の好ましい態様である。
【００１１】
また、本発明によれば、あらかじめ所定の記憶領域に格納された地点名又は外部から読み込んだ地点名に基づいて、地点に関する地点情報を通信インタフェースを介してＷｅｂサーバから収集するステップと、収集された前記地点情報に含まれる住所情報を抽出し、抽出された前記住所情報に基づいて前記地点の位置情報を算出するステップと、前記位置情報が算出された前記地点情報の件数を集計するステップと、あらかじめ所定の記憶領域に格納された地図情報又は外部から読み込んだ地図情報のうち、算出された前記地点の位置情報に基づいて、前記地点の所定の周辺領域の地図を表示手段に表示させるとともに、集計された前記地点情報の件数の関数に相当する面積からなる領域を有する、前記表示手段に表示させる際の表示形体を生成し、生成された前記表示形体を前記地図上に前記地点の位置情報に基づいて表示させるステップとを有する情報閲覧方法が提供される。
【００１２】
また、本発明の情報閲覧方法において、前記位置情報が算出された前記地点情報の文字列に対して言語解析を行い、前記地点情報が前記地点の評判に関する情報か否かを解析し、評判に関する情報とそれ以外に関する情報とに分類するステップと、前記分類された評判に関する情報とそれ以外に関する情報との件数の割合を、前記表示形体と共に表示させるステップとを有することは、本発明の好ましい態様である。
【００１３】
また、本発明の情報閲覧方法において、前記位置情報が算出された前記地点情報の文字列に対して言語解析を行い、前記地点情報が前記地点の評判に関する情報か否かを解析し、評判に関する情報とそれ以外に関する情報とに分類するステップと、前記分類された評判に関する情報とそれ以外に関する情報との件数の割合を表示させる場合に、前記表示手段に表示されている前記表示形体の表示領域を、前記分類された評判に関する情報とそれ以外に関する情報との件数の割合に基づいて区分けして表示させるステップとを有することは、本発明の好ましい態様である。
【００１４】
また、本発明の情報閲覧方法において、外部から前記表示手段に表示されている前記表示形体の選択を受け付けるステップを更に有し、受け付けられた前記選択に基づいて、所定の記憶領域に格納された前記地点情報の内容を前記表示手段に表示させるステップを有することは、本発明の好ましい態様である。
【００１５】
また、本発明の情報閲覧方法において、前記表示形体が球形状又は円筒形状であることは、本発明の好ましい態様である。
【００１６】
また、本発明の情報閲覧方法において、前記表示形体を所定の色によって表示させることは、本発明の好ましい態様である。
【発明の効果】
【００１７】
本発明の情報閲覧装置及び情報閲覧方法は、上記構成を有し、収集された各地点のＷｅｂ情報の情報量などを反映して地図上に２次元又は３次元表示することで、地点に関するＷｅｂ情報の分布を直感的に把握可能とさせ、また地点に関するＷｅｂ情報を容易に閲覧することを可能とさせる。
【発明を実施するための最良の形態】
【００１８】
以下、本発明の実施の形態に係る情報閲覧装置及び情報閲覧方法について図１から図７を用いて説明する。図１は本発明の実施の形態に係る情報閲覧装置の構成を示す構成図である。図２は本発明の実施の形態に係る情報閲覧装置におけるアドレスマッチング部でアドレスマッチングをする際に用いられる住所文字列と座標情報とが関連付けられたテーブルの一例を示す図である。図３は本発明の実施の形態に係る情報閲覧装置の表示デバイスにおける表示例の一例を示す図である。図４は本発明の実施の形態に係る情報閲覧装置の表示デバイスにおける表示例の他の一例を示す図である。図５は本発明の実施の形態に係る情報閲覧装置の表示デバイスにおける表示例の他の一例を示す図である。図６は本発明の実施の形態に係る情報閲覧装置の表示デバイスにおける表示例の他の一例を示す図である。図７は本発明の実施の形態に係る情報閲覧装置における情報の表示処理フローについて説明するためのフローチャートである。
【００１９】
まず、本発明の実施の形態に係る情報閲覧装置の構成について図１を用いて説明する。図１に示すように、情報閲覧装置１００は、通信インタフェース１０１、検索エンジン部１０２、アドレスマッチング部１０３、Ｗｅｂ情報解析部１０４、表示デバイス１０５、地図表示部１０６、Ｗｅｂ情報表示部１０７、地点情報格納部１０８、地図情報格納部１０９、選択受付部１１０から構成されている。通信インタフェース１０１は上述の通信手段に、検索エンジン部１０２は上述の収集手段に、アドレスマッチング部１０３は上述の位置算出手段に、Ｗｅｂ情報解析部１０４は上述の解析手段に、表示デバイス１０５は上述の表示手段に、地図表示部１０６は上述の表示制御手段に、Ｗｅｂ情報表示部１０７は上述の表示制御手段に、地点情報格納部１０８は上述の地点情報格納手段に、選択受付部１１０は上述の選択受付手段にそれぞれ相当する。
【００２０】
検索エンジン部１０２は、あらかじめ不図示の所定の記憶領域に格納された地点名又は外部から読み込んだ地点名に基づいて、検索エンジンを用いてＷＷＷ（World Wide Web）サーバ１１１（以下、単にＷｅｂサーバとも言う）から地点に関する地点情報を通信インタフェース１０１を介して収集する。ここでの地点名は、例えば「○○ランド」などの名称であるが、「○○県○○市」などといった市区町村名であってもよい。市区町村名の場合、その市区町村にある観光スポットなどの場所（例えば、××博物館）とその住所とをペアにして収集するようにしてもよい。この地点名の情報は、情報閲覧装置１００の所定の記憶領域にあらかじめ格納されたものでもよく、また外部（地点名が蓄積されたＣＤ−ＲＯＭなどの記録媒体）から読み込むものであってもよい。また、地点情報とは、ある地点名によって検索エンジンでヒットしたＵＲＬ（Uniform Resource Locator）に対応するページに記載された情報を言う。また、通信インタフェース１０１は、例えばＦＴＴＨ（Fiber To The Home）、ＡＤＳＬ（Asymmetric Digital Subscriber Line）、無線ＬＡＮ、Ethernet（登録商標）(１００Base-Tなど)などである。
【００２１】
アドレスマッチング部１０３は、収集された情報（以下、地点情報とも言う）、例えば「○○ランド」に関する情報のそれぞれに対して、ＨＴＭＬ（Hyper Text Markup Language）構造の解析をして住所情報を抽出し、抽出された住所情報に基づいて地点の位置情報を算出する。ここで、住所情報とは、所在を示す情報であって、例えば「○○県○○市○○１−２−３」などという情報を言う。また、位置情報とは、抽出された住所情報から求められる地点の地理的位置であって、例えば緯度及び経度の情報を言う。具体的には、アドレスマッチング部１０３は、例えば、図２に示すような住所文字列と座標情報（緯度及び経度など）とが関連付けられたテーブルに基づいて、抽出された住所情報から地点の位置情報を算出している。このテーブルは不図示の所定の記憶領域に格納されている。そして、アドレスマッチング部１０３は、位置情報が算出された地点情報を地点情報格納部１０８に格納する。なお、アドレスマッチング部１０３は、住所情報を抽出できない、又は位置情報を算出できない地点情報に関しては、破棄するようにしてもよい。
【００２２】
Ｗｅｂ情報解析部１０４は、地点情報格納部１０８に格納された地点情報の件数を集計する。例えば、「○○ランド：１００件」といったように件数を集計する。また、Ｗｅｂ情報解析部１０４は、地点情報格納部１０８に格納された地点情報の文字列に対して、例えば自然言語処理技術などを用いた言語解析を行い、地点情報が評判に関する情報か否かを解析し、評判に関する情報とそれ以外に関する情報とに分類する。ここで、自然言語処理技術とは、人間が日常的に使っている自然言語をコンピュータに理解及び処理させる一連の技術を言う。自然言語処理技術の具体的技術には、形態素解析、構文解析などがある。形態素解析とは、自然言語で書かれた文章を形態素（単語）の列に分割し、品詞を見分けるものを言う。構文解析とは、ある文章の文法的な関係を解析することを言う。
【００２３】
表示デバイス１０５は、あらかじめ地図情報格納部１０９に格納された地図情報又は外部から読み込まれた地図情報や、Ｗｅｂ情報表示部１０７によって後述する表示形体などを表示するものであり、例えば液晶ディスプレイなどである。地図表示部１０６は、地図情報格納部１０９に格納された地図情報又は外部から読み込まれた地図情報を表示デバイス１０５に表示させる。具体的には、地図表示部１０６は、アドレスマッチング部１０３によって算出された「○○ランド」の位置情報に基づいて、「○○ランド」の所定の周辺領域の地図を表示デバイス１０５に表示させる。所定の周辺領域とは、例えば位置情報を中心とした半径５ｋｍ以内の領域を言う。ただし、所定の周辺領域は、これに限られるものではない。また、外部から読み込まれた地図情報とは、例えば地図情報が格納されたＣＤ−ＲＯＭなどの記録媒体から情報閲覧装置１００によって読み込まれた地図情報を言う。
【００２４】
Ｗｅｂ情報表示部１０７は、Ｗｅｂ情報解析部１０４によって集計された地点情報の件数の関数に相当する面積からなる領域を有する表示形体を生成し、生成された表示形体を地図上に地点の位置情報に基づいて表示させる。ここでの関数とは、地点情報の件数が増加するにつれて、表示される面積の領域が大きくなるような関数を言い、例えば比例的な関数や対数的な関数を言う。なお、件数の関数に相当する面積とあるが、３次元表示の場合には、この面積は体積などに相当する。また、表示形体とは、表示デバイス１０５に表示させる際の表示の態様を言い、例えば円形状、円筒形状などである。
【００２５】
具体的には、Ｗｅｂ情報表示部１０７は、Ｗｅｂ情報解析部１０４によって地点情報が集計され、「○○ランド」に関する地点情報が１００件あった場合に、１００件に相当する、例えば円形状を生成し、生成した円形状を「○○ランド」の位置情報、例えば緯度ｘ度、経度ｙ度に基づいて、表示デバイス１０５に表示されている地図上の相当する位置に表示させる。また、Ｗｅｂ情報表示部１０７は、Ｗｅｂ情報解析部１０４によって分類された評判に関する情報とそれ以外に関する情報との件数の割合を、表示形体と共に表示デバイス１０５に表示させる。また、Ｗｅｂ情報表示部１０７は、Ｗｅｂ情報解析部１０４によって分類された評判に関する情報とそれ以外に関する情報との件数の割合を表示させる場合に、表示デバイス１０５に表示されている表示形体の表示領域を、分類された評判に関する情報とそれ以外に関する情報との件数の割合に基づいて区分けして表示させることも可能である。
【００２６】
ここで、Ｗｅｂ情報表示部１０７は、１つの地点、例えば「○○ランド」のみの表示形体を表示デバイス１０５に表示させるだけでなく、複数の地点、例えば後述する図３に示す「○○ランド」、「××博物館」、「▲▲観音」、「○○○ワールド」、「道の駅○○○」、「◇◇◇王国」のそれぞれの表示形体を表示デバイス１０５に表示させることも可能である。それぞれの地点に関して、上述したような処理を行い、それぞれの情報を所定の記憶領域に格納しておくことにより、複数の表示形体の表示も可能となる。また、Ｗｅｂ情報表示部１０７は、例えば件数（ヒット件数）の多い１０の地点についてのみ表示させるようにすることも可能である。このように、Ｗｅｂ情報表示部１０７は、フィルタリングを行うことにより、所望の情報内容を閲覧させることができる。なお、上述した地図表示部１０６の処理とＷｅｂ情報表示部１０７の処理とを１つの制御部が行うようにしてもよい。
【００２７】
ここで、表示デバイス１０５に表示された表示例について図３及び図４を用いて説明する。図３は表示形体が円形状の３Ｄ表示の表示例である。なお、３Ｄ表示させるだけでなく２次元表示させることも可能であるが、後述する図３〜図６では３Ｄ表示の場合について説明する。図３に示すように、表示デバイス１０５の表示画面３００には、地図３０１と複数の円形状の表示形体が表示されている。図３から、「○○ランド」が１００件で最も件数が多く、「××博物館」が７０件で２番目に件数が多いことがわかる。ここで、表示デバイス１０５に表示された表示形体にユーザが触れたりすることによって選択することにより、選択受付部１１０は、選択された表示形体がどれかを識別し、選択された表示形体がどれかをＷｅｂ情報表示部１０７に通知し、Ｗｅｂ情報表示部１０７は、選択された表示形体の地点情報の一覧などを表示デバイス１０５に表示させる。そして、表示された一覧の中からユーザが所望の地点情報を閲覧するために、表示デバイス１０５上を触れたりすることで、Ｗｅｂ情報表示部１０７はユーザが所望する地点情報の内容を表示させることも可能である。後述する図４から図６においても同様に考えられる。このように、Ｗｅｂ上に存在するその地点に関する情報を視覚的に判断できるため容易に閲覧することができる。なお、図３の表示画面３００の右下隅には距離の目安となるバーが表示されているが、このバーは表示しないように設定することも可能である。後述する図４から図６においても同様である。
【００２８】
図４は表示形体が円筒形状の３Ｄ表示の表示例である。図４に示すように、地図４００上に複数の円筒形状の表示形体が表示されている。図４からも、図３と同様に「○○ランド」が１００件で最も件数が多く、「××博物館」が７０件で２番目に件数が多いことがわかる。ここで、図３及び図４のように件数が表示形体で表されるだけでなく、上述したように、収集した情報を口コミ情報や個人の感想情報などの評判情報とそれ以外の情報とに分類して、例えば色分けして表示するようにすることも可能である。評判情報とそれ以外の情報との分類は、上述したようにＷｅｂ情報解析部１０４によって自然言語処理技術を用いてなされる。そして、Ｗｅｂ情報表示部１０７によって表示デバイス１０５に表示される。
【００２９】
ここで、評判情報とそれ以外の情報とに分類した表示例を図５を用いて説明する。図５は図４の円筒形状を用いた表示例である。なお、図３の円形状を用いても表示することは可能である。図５に示すように、例えば「○○ランド」に関しては、円筒形状の表示領域は、ある色で表示された表示領域５００と他の色で表示された表示領域５０１とに色分けされている。この場合、例えば、表示領域５００が評判情報を示し、表示領域５０１がそれ以外の情報を示している。他の地点「××博物館」などに関しても同様に考えられる。なお、上述のように表示領域を色分けせずに、評判情報とそれ以外の情報との件数を表示する、又は割合を表示するようにしてもよい。このようにすることにより、個人の感想などの生の声の情報がＷｅｂ上にどれくらい存在するのか視覚的に概観・比較することができる。
【００３０】
また、娯楽・観光（遊園地、テーマパークなど）、宿泊施設（ホテル、旅館など）、飲食施設（レストラン、中華料理店、蕎麦屋など）などのカテゴリに分けて、カテゴリごとに色分けをして表示させるようにしてもよい。この場合の表示例を図６を用いて説明する。図６は図４の円筒形状を用いた表示例である。なお、図３の円形状を用いても表示することは可能である。図６に示すように、例えば、「○○ランド」は娯楽・観光のカテゴリに属することから、娯楽・観光のカテゴリの所定の色（例えば、赤色）で円筒形状の表示領域６００が表示され、「■■ホテル」は宿泊施設のカテゴリに属することから、宿泊施設のカテゴリの所定の色（例えば、青色）で円筒形状の表示領域６０１が表示され、「□□レストラン」は飲食施設のカテゴリに属することから、飲食施設のカテゴリの所定の色（例えば、黄色）で円筒形状の表示領域６０２が表示される。
【００３１】
次に、本発明の実施の形態に係る情報閲覧装置における情報の表示処理フローについて図７を用いて説明する。図７に示すように、検索エンジン部１０２は、あらかじめ所定の記憶領域に格納された地点名又は外部から読み込んだ地点名に基づいて、検索エンジンを用いてＷｅｂサーバ１１１から地点に関する地点情報を通信インタフェース１０１を介して収集しておく(ステップＳ７０１)。アドレスマッチング部１０３は、収集された地点情報、例えば「○○ランド」に関する情報のそれぞれに対して、ＨＴＭＬ構造の解析をして住所情報を抽出し、抽出された住所情報に基づいて地点の位置情報を算出する（ステップＳ７０２）。Ｗｅｂ情報解析部１０４は、アドレスマッチング部１０３によって地点情報格納部１０８に格納された地点情報の件数を集計する（ステップＳ７０３）。
【００３２】
地図表示部１０６は、地図情報格納部１０９に格納された地図情報を表示デバイス１０５に表示させる（ステップＳ７０４）。Ｗｅｂ情報表示部１０７は、Ｗｅｂ情報解析部１０４によって集計された地点情報の件数を反映させた表示形体を生成し、生成された表示形体を地図上に地点の位置情報に基づいて表示させる（ステップＳ７０５）。なお、Ｗｅｂ情報表示部１０７は、Ｗｅｂ情報解析部１０４による評判情報とそれ以外の情報との分類に基づいて、図５のように表示デバイス１０５に表示させることも可能である。また、図６のようにカテゴリ別に色分けして表示デバイス１０５に表示させることも可能である。
【００３３】
以上のように、本発明の実施の形態に係る情報閲覧装置によれば、旅行時に特定の地域周辺の観光スポットなどを探索する場合に、Ｗｅｂ上でどれくらいの情報が存在するのかを視覚的に比較しながら探索することが可能となる。さらに、地図上に表示された表示形体（地点）を選択することでＷｅｂ上に存在するその地点に関する公式情報や評判情報を容易に閲覧することが可能となり、面倒なキーワード検索などを行うことなく、旅行のプランニングをすることが可能となる。
【産業上の利用可能性】
【００３４】
本発明に係る情報閲覧装置及び情報閲覧方法は、収集された各地点のＷｅｂ情報の情報量などを反映して地図上に２次元又は３次元表示することで、地点に関するＷｅｂ情報の分布を直感的に把握可能とさせ、また地点に関するＷｅｂ情報を容易に閲覧することを可能とさせるため、観光地、施設、店舗などの地点に関連するＷｅｂ情報を収集し、収集されたＷｅｂ情報を閲覧する情報閲覧装置及び情報閲覧方法などに有用である。
【図面の簡単な説明】
【００３５】
【図１】本発明の実施の形態に係る情報閲覧装置の構成を示す構成図である。
【図２】本発明の実施の形態に係る情報閲覧装置におけるアドレスマッチング部でアドレスマッチングをする際に用いられる住所文字列と座標情報とが関連付けられたテーブルの一例を示す図である。
【図３】本発明の実施の形態に係る情報閲覧装置の表示デバイスにおける表示例の一例を示す図である。
【図４】本発明の実施の形態に係る情報閲覧装置の表示デバイスにおける表示例の他の一例を示す図である。
【図５】本発明の実施の形態に係る情報閲覧装置の表示デバイスにおける表示例の他の一例を示す図である。
【図６】本発明の実施の形態に係る情報閲覧装置の表示デバイスにおける表示例の他の一例を示す図である。
【図７】本発明の実施の形態に係る情報閲覧装置における情報の表示処理フローについて説明するためのフローチャートである。
【符号の説明】
【００３６】
１００  情報閲覧装置
１０１  通信インタフェース（通信手段）
１０２  検索エンジン部（収集手段）
１０３  アドレスマッチング部（位置算出手段）
１０４  Ｗｅｂ情報解析部（解析手段）
１０５  表示デバイス（表示手段）
１０６  地図表示部（表示制御手段）
１０７  Ｗｅｂ情報表示部（表示制御手段）
１０８  地点情報格納部（地点情報格納手段）
１０９  地図情報格納部
１１０  選択受付部（選択受付手段）
１１１  ＷＷＷサーバ（Ｗｅｂサーバ）
３００  表示画面
３０１、４００  地図
５００、５０１、６００、６０１、６０２  表示領域
【図１】
2006139412.tif 000003
【図２】
2006139412.tif 000004
【図３】
2006139412.tif 000005
【図４】
2006139412.tif 000006
【図５】
2006139412.tif 000007
【図６】
2006139412.tif 000008
【図７】
2006139412.tif 000009